(57)【要約】【課題】本体が備える操作キー等を用いて操作しているときと、リモコン等の遠隔操作手段を用いて操作しているときの双方で、ユーザに煩わしさを感じさせることなく、簡易な構成で操作確認を確実に行うことができるプロジェクタを提供する。【解決手段】記憶部１４０は、操作部１１１が操作入力を受け付けたときに操作確認音出力部１６０が出力する操作確認音の音量を定めた第１設定情報と、操作信号受信部１１２が遠隔操作信号を受け付けたときに操作確認音出力部１６０が出力する操作確認音の音量を定めた第２設定情報と、を格納し、制御部１２０は、操作部１１１が操作入力を受け付けたときは第１設定情報に定められた音量で操作確認音出力部１６０に操作確認音を出力させ、操作信号受信部１１２が遠隔操作信号を受け付けたときは第２設定情報に定められた音量で操作確認音出力部１６０に操作確認音を出力させる。【選択図】図１
2009276413.tif 000002
【特許請求の範囲】
【請求項１】
入力映像信号に基づき映像を投射するプロジェクタであって、
操作入力に対応する操作信号を出力する操作部と、
操作入力に対応する遠隔操作信号を当該プロジェクタの外部から受け付けてこれに対応する操作信号を出力する操作信号受信部と、
前記操作信号に対応した当該プロジェクタの制御動作を実行する制御部と、
前記操作部および前記操作信号受信部の操作確認音を出力する操作確認音出力部と、
前記操作確認音出力部が出力する音量の設定情報を記憶する記憶部と、
を備え、
前記記憶部は、
前記操作部が前記操作入力を受け付けたときに前記操作確認音出力部が出力する操作確認音の音量を定めた第１設定情報と、
前記操作信号受信部が前記遠隔操作信号を受け付けたときに前記操作確認音出力部が出力する操作確認音の音量を定めた第２設定情報と、
を格納し、
前記制御部は、
前記操作部が前記操作入力を受け付けたときは前記第１設定情報に定められた音量で前記操作確認音出力部に操作確認音を出力させ、
前記操作信号受信部が前記遠隔操作信号を受け付けたときは前記第２設定情報に定められた音量で前記操作確認音出力部に操作確認音を出力させる
ことを特徴とするプロジェクタ。
【請求項２】
前記操作部または前記操作信号受信部は、
前記第１設定情報または前記第２設定情報の内容を表す前記操作入力または前記遠隔操作信号を受け付けてこれに対応した操作信号を出力し、
前記制御部は、
その操作信号の内容に基づき前記第１設定情報または前記第２設定情報を前記記憶部に格納する
ことを特徴とする請求項１記載のプロジェクタ。
【請求項３】
当該プロジェクタが通常設置されているか、もしくは天吊り設置されているかの設置状態を取得する手段を備え、
前記記憶部は、
当該プロジェクタが天吊り設置されている状態で前記操作信号受信部が前記遠隔操作信号を受け付けた際に前記操作確認音出力部が出力する操作確認音の音量を定めた第３設定情報を格納し、
前記制御部は、
当該プロジェクタが天吊り設置されている状態で前記操作信号受信部が前記遠隔操作信号を受け付けたときは前記第３設定情報に定められた音量で前記操作確認音出力部に操作確認音を出力させる
ことを特徴とする請求項１または請求項２記載のプロジェクタ。
【請求項４】
入力映像信号に基づき映像を投射するプロジェクタであって、
操作入力に対応する操作信号を出力する操作部と、
操作入力に対応する遠隔操作信号を当該プロジェクタの外部から受け付けてこれに対応する操作信号を出力する操作信号受信部と、
前記操作部および前記操作信号受信部の操作確認音を出力する操作確認音出力部と、
前記操作確認音出力部が出力する音量の設定情報を記憶する記憶部と、
を備えたプロジェクタを制御する方法であって、
前記記憶部に、
前記操作部が前記操作入力を受け付けたときに前記操作確認音出力部が出力する操作確認音の音量を定めた第１設定情報と、
前記操作信号受信部が前記遠隔操作信号を受け付けたときに前記操作確認音出力部が出力する操作確認音の音量を定めた第２設定情報と、
を格納しておき、
前記操作部が前記操作入力を受け付けたときは前記第１設定情報に定められた音量で前記操作確認音出力部に操作確認音を出力させ、
前記操作信号受信部が前記遠隔操作信号を受け付けたときは前記第２設定情報に定められた音量で前記操作確認音出力部に操作確認音を出力させる
ことを特徴とするプロジェクタの制御方法。
【発明の詳細な説明】
【技術分野】
【０００１】
本発明は、プロジェクタおよびその制御方法に関するものである。
【背景技術】
【０００２】
従来、プロジェクタに対して操作入力を行った際に、プロジェクタ本体のスピーカやブザーから操作確認音を出力するものがある。
しかし、プロジェクタ本体が備える操作キー等を用いて操作しているときに操作確認音を出力するとユーザが煩わしく感じる場合があり、リモコン等の遠隔操作手段を用いて操作しているときは操作確認音が小さくて聞こえない場合がある。
例えば、プロジェクタを天吊り設置した状態で遠隔操作する場合、操作確認音が小さいと、プロジェクタが操作に確実に応答しているのか否かが分かりにくく、プロジェクタが遠隔操作に応答しているにも関わらずユーザが何度も同じ操作を繰り返し、操作性が低下してしまう可能性がある。
【０００３】
一方、リモコンシステムに関し、特許文献１に、「操作対象機器の動作の確実な確認を行うことはできない」ことを課題とした技術として、「操作指示に対する処理を行う操作処理手段１０１、指定されたリモコン信号を送出するリモコン信号送信手段１０２、応答信号を受信する応答信号受信手段１０３、及び前記応答信号によって振動応答を発生する振動発生手段１０４を有するリモコン操作機１００と、リモコン信号を受信するリモコン信号受信手段２０１、受信したリモコン信号に応じて機器の操作メニューの表示等を行うメニュー表示・制御手段２０２、リモコン信号により機器の制御を行い、応答信号を生成する機器制御手段２０４、応答信号を送出する応答信号送信手段２０５等を有する操作対象機器２００とを備えた。」というものが提案されている（要約）。
【０００４】
【特許文献１】特開平１１−２６２０７３号公報
【発明の開示】
【発明が解決しようとする課題】
【０００５】
上記特許文献１に記載の技術では、リモコン操作機１００は、リモコン操作に対する応答信号を受信して振動で応答確認を行うことができるが、操作対象機器とリモコン操作機１００の間で双方向通信を行う必要があるため、コストが高くなってしまう。
【０００６】
本発明は、上記のような課題を解決するためになされたものであり、プロジェクタ本体が備える操作キー等を用いて操作しているときと、リモコン等の遠隔操作手段を用いて操作しているときの双方で、ユーザに煩わしさを感じさせることなく、簡易な構成で操作確認を確実に行うことができるプロジェクタを提供することを目的とする。
【課題を解決するための手段】
【０００７】
本発明に係るプロジェクタは、入力映像信号に基づき映像を投射するプロジェクタであって、操作入力に対応する操作信号を出力する操作部と、操作入力に対応する遠隔操作信号を当該プロジェクタの外部から受け付けてこれに対応する操作信号を出力する操作信号受信部と、前記操作信号に対応した当該プロジェクタの制御動作を実行する制御部と、前記操作部および前記操作信号受信部の操作確認音を出力する操作確認音出力部と、前記操作確認音出力部が出力する音量の設定情報を記憶する記憶部と、を備え、前記記憶部は、前記操作部が前記操作入力を受け付けたときに前記操作確認音出力部が出力する操作確認音の音量を定めた第１設定情報と、前記操作信号受信部が前記遠隔操作信号を受け付けたときに前記操作確認音出力部が出力する操作確認音の音量を定めた第２設定情報と、を格納し、前記制御部は、前記操作部が前記操作入力を受け付けたときは前記第１設定情報に定められた音量で前記操作確認音出力部に操作確認音を出力させ、前記操作信号受信部が前記遠隔操作信号を受け付けたときは前記第２設定情報に定められた音量で前記操作確認音出力部に操作確認音を出力させる。
【０００８】
そのため、ユーザに操作確認音量を煩わしく感じさせることなく、ユーザが使用する操作手段に対応した操作確認を確実に行うことができる。
【０００９】
また、本発明に係るプロジェクタにおいて、前記操作部または前記操作信号受信部は、前記第１設定情報または前記第２設定情報の内容を表す前記操作入力または前記遠隔操作信号を受け付けてこれに対応した操作信号を出力し、前記制御部は、その操作信号の内容に基づき前記第１設定情報または前記第２設定情報を前記記憶部に格納する。
【００１０】
そのため、プロジェクタの設置状況などの具体的な設置環境等に応じて、操作部の操作確認音量と操作信号受信部の操作確認音量を、詳細に調整することができる。
【００１１】
また、本発明に係るプロジェクタは、当該プロジェクタが通常設置されているか、もしくは天吊り設置されているかの設置状態を取得する手段を備え、前記記憶部は、当該プロジェクタが天吊り設置されている状態で前記操作信号受信部が前記遠隔操作信号を受け付けた際に前記操作確認音出力部が出力する操作確認音の音量を定めた第３設定情報を格納し、前記制御部は、当該プロジェクタが天吊り設置されている状態で前記操作信号受信部が前記遠隔操作信号を受け付けたときは前記第３設定情報に定められた音量で前記操作確認音出力部に操作確認音を出力させる。
【００１２】
そのため、プロジェクタの設置状態と、ユーザが操作入力を行うために用いる手段とに応じて、最適な音量で操作確認音を出力することができる。
【００１３】
また、本発明に係るプロジェクタの制御方法は、入力映像信号に基づき映像を投射するプロジェクタであって、操作入力に対応する操作信号を出力する操作部と、操作入力に対応する遠隔操作信号を当該プロジェクタの外部から受け付けてこれに対応する操作信号を出力する操作信号受信部と、前記操作部および前記操作信号受信部の操作確認音を出力する操作確認音出力部と、前記操作確認音出力部が出力する音量の設定情報を記憶する記憶部と、を備えたプロジェクタを制御する方法であって、前記記憶部に、前記操作部が前記操作入力を受け付けたときに前記操作確認音出力部が出力する操作確認音の音量を定めた第１設定情報と、前記操作信号受信部が前記遠隔操作信号を受け付けたときに前記操作確認音出力部が出力する操作確認音の音量を定めた第２設定情報と、を格納しておき、前記操作部が前記操作入力を受け付けたときは前記第１設定情報に定められた音量で前記操作確認音出力部に操作確認音を出力させ、前記操作信号受信部が前記遠隔操作信号を受け付けたときは前記第２設定情報に定められた音量で前記操作確認音出力部に操作確認音を出力させる。
【００１４】
そのため、ユーザに操作確認音量を煩わしく感じさせることなく、ユーザが使用する操作手段に対応した操作確認を確実に行うことができるように、プロジェクタを制御することができる。
【発明を実施するための最良の形態】
【００１５】
実施の形態１．
図１は、本発明の実施の形態１に係るプロジェクタ１００の機能ブロック図である。
本実施の形態１に係るプロジェクタ１００は、操作パネル１１１、遠隔操作信号受信部１１２、操作信号処理部１１３、制御部１２０、映像信号処理部１３０、記憶部１４０、投射部１５０、操作確認音出力部１６０を備える。
【００１６】
操作パネル１１１は、プロジェクタ１００の本体筐体の外面に設けられ、ユーザの操作情報を受け付けるためのものである。ユーザが操作パネル１１１に配置されたキーを押下等すると、それに対応した操作信号が操作信号処理部１１３に出力される。
また、ユーザがリモコン等の遠隔操作手段を操作すると、これに対応する遠隔操作信号が出力される。
遠隔操作信号受信部１１２は、この遠隔操作信号を受信し、これに対応した操作信号を操作信号処理部１１３に出力する。
操作信号処理部１１３は、操作パネル１１１と遠隔操作信号受信部１１２が出力した操作信号を受け取り、デジタル信号に変換するなどの処理を施して、制御部１２０に出力する。
【００１７】
本発明における「操作部」は、操作パネル１１１と操作信号処理部１１３がこれに相当する。また、「操作信号受信部」は、遠隔操作信号受信部１１２と操作信号処理部１１３がこれに相当する。
【００１８】
制御部１２０は、映像信号処理部１３０の動作を制御する。
また、記憶部１４０に格納されている後述の音量設定情報を読み取り、その音量で操作確認音出力部１６０に操作確認音を出力させる。
制御部１２０は、その機能を実現する回路デバイスのようなハードウェアで構成することもできるし、マイコンやＣＰＵ（Ｃｅｎｔｒａｌ  Ｐｒｏｃｅｓｓｉｎｇ  Ｕｎｉｔ）のような演算装置とその動作を規定する制御プログラムで構成することもできる。
【００１９】
映像信号処理部１３０は、プロジェクタ１００の外部から入力される入力映像信号に対応した映像データを１フレーム（１画面）毎にフレームメモリ（図示せず）に記憶させるとともに、フレームメモリに記憶された映像データを読み出す機能を有し、入力映像信号と制御部１２０の指示に基づいてデジタルの出力映像信号を生成して投射部１５０に出力する。
映像信号処理部１３０は、マイクロプロセッサ等により構成され、内蔵したプログラムを実行することにより、上記の処理を行う。
【００２０】
記憶部１４０は、操作確認音出力部１６０の出力音量を定めた設定情報を格納する。詳細は後述の図２で説明する。
記憶部１４０は、ＨＤＤ（Ｈａｒｄ  Ｄｉｓｋ  Ｄｒｉｖｅ）やフラッシュＲＯＭ（Ｒｅａｄ  Ｏｎｌｙ  Ｍｅｍｏｒｙ）等の記憶装置で構成することができる。
【００２１】
投射部１５０は、光源、光変調素子、投射光学系などの映像投射に必要な構成を適宜備え、映像信号処理部１３０より出力映像信号を受け取り、その映像をスクリーンに投射するものである。光変調素子としては、液晶ライトバルブや微小ミラーアレイデバイス等が用いられる。
【００２２】
操作確認音出力部１６０は、制御部１２０の指示に基づき、ユーザが操作パネル１１１で操作入力を行ったときと、リモコン等の遠隔操作手段で遠隔操作入力を行ったときの、操作確認音を出力する。
操作確認音出力部１６０は、例えばブザー音を出力する報知音出力手段などで構成することができる。
【００２３】
図２は、記憶部１４０が格納している音量設定情報の内容を示す図である。ここではテーブル形式で音量設定値を格納している例を示したが、格納形式はこれに限られるものではない。
【００２４】
図２のテーブルは、「本体キー音量」列と「リモコンキー音量」列を有する。
「本体キー音量」列には、ユーザが操作パネル１１１で操作入力を行ったときに操作確認音出力部１６０が出力すべき操作確認音の音量の設定情報が格納される。
「リモコンキー音量」列には、ユーザがリモコン等の遠隔操作手段で遠隔操作入力を行ったときに操作確認音出力部１６０が出力すべき操作確認音の音量の設定情報が格納される。
これらの値は、規定値として記憶部１４０にあらかじめ格納しておく。
【００２５】
本発明における「第１設定情報」は、「本体キー音量」列に格納される情報がこれに相当する。また、「第２設定情報」は、「リモコンキー音量」列に格納される情報がこれに相当する。
【００２６】
以上、本実施の形態１に係るプロジェクタ１００の構成を説明した。
次に、本実施の形態１に係るプロジェクタ１００の操作確認音出力動作を、以下のステップ（１）〜（６）で説明する。
【００２７】
（１）ユーザが操作パネル１１１で操作入力を行うと、その操作内容に対応した操作信号が操作信号処理部１１３に出力される。
操作信号処理部１１３は、その操作信号を適宜処理して制御部１２０に出力する。このとき、操作信号の内容に識別符号を含めておくなど適当な手法により、操作パネル１１１から出力された操作信号であることを制御部１２０が識別できるようにしておく。
【００２８】
（２）制御部１２０は、操作信号処理部１１３から受け取った操作信号を受け取り、図２の「本体キー音量」列の値を読み取る。次に、制御部１２０は、その音量で操作確認音を出力するよう、操作確認音出力部１６０に指示する。
（３）制御部１２０は、操作信号処理部１１３から受け取った操作信号の内容に対応した動作を実行する。
【００２９】
（４）ユーザがリモコン等の遠隔操作手段で操作入力を行うと、その操作内容に対応した遠隔操作信号が出力される。遠隔操作信号受信部１１２はその遠隔操作信号を受信する。
操作信号処理部１１３は、その遠隔操作信号を適宜処理して制御部１２０に出力する。このとき、操作信号の内容に識別符号を含めておくなど適当な手法により、遠隔操作信号受信部１１２から出力された操作信号であることを制御部１２０が識別できるようにしておく。
【００３０】
（５）制御部１２０は、操作信号処理部１１３から受け取った操作信号を受け取り、図２の「リモコンキー音量」列の値を読み取る。次に、制御部１２０は、その音量で操作確認音を出力するよう、操作確認音出力部１６０に指示する。
（６）制御部１２０は、操作信号処理部１１３から受け取った操作信号の内容に対応した動作を実行する。
【００３１】
以上、本実施の形態１に係るプロジェクタ１００の操作確認音出力動作を説明した。
【００３２】
以上のように、本実施の形態１に係るプロジェクタ１００は、操作パネル１１１の操作確認音量と遠隔操作信号受信部１１２の操作確認音量それぞれの設定情報を、記憶部１４０に個別に格納しておき、それぞれ異なる音量で操作確認音を出力することができる。
これにより、ユーザがプロジェクタ１００本体の近くで操作することが多いと思われる操作パネル１１１操作時には操作確認音量を小さくしておき、プロジェクタ１００から離れて操作することが多いと思われる遠隔操作時には操作確認音量を大きくする、といった個別の音量設定が可能となる。
【００３３】
したがって、操作パネル１１１操作時に大音量で操作確認音を出力してユーザに操作確認音量を煩わしく感じさせるようなことがなく、また、遠隔操作時は大きな音量で操作確認音を出力することができるので、ユーザが使用する操作手段に対応した操作確認を確実に行うことができる。
【００３４】
また、本実施の形態１に係るプロジェクタ１００によれば、記憶部１４０に個別の音量設定情報を格納しておき、ユーザが使用する操作手段に応じてその設定情報を使い分けるという簡易な構成により、低コストで確実に操作確認を行うことができる。
【００３５】
実施の形態２．
本発明の実施の形態２では、記憶部１４０に格納する操作パネル１１１の操作確認音量と遠隔操作信号受信部１１２の操作確認音量それぞれの設定情報を、操作メニュー画面から更新することのできる構成と動作を説明する。
なお、本実施の形態２に係るプロジェクタ１００の構成は実施の形態１と同様であるため、説明を省略する。
【００３６】
図３は、操作確認音出力部１６０の音量を設定する画面例を示す図である。ここでは図２の「本体キー音量」列の値と「リモコンキー音量」列の値をバーグラフ状に表示した画面例を示した。
ユーザは、図３のような画面上で、操作パネル１１１またはリモコン等の遠隔操作手段を使用して、「本体キー音量」列の値と「リモコンキー音量」列の値を個別に入力する。
以下、図３のような設定画面でユーザが各音量を設定する際のプロジェクタ１００の動作を、下記ステップ（１）〜（４）で説明する。
【００３７】
（１）ユーザは操作パネル１１１またはリモコン等の遠隔操作手段を操作し、図３のような音量設定画面を表示させるよう、プロジェクタ１００に指示する。
これに対応した操作信号が、操作パネル１１１または遠隔操作信号受信部１１２より、操作信号処理部１１３を介して制御部１２０に出力される。
【００３８】
（２）制御部１２０は、記憶部１４０より図２の「本体キー音量」列の値と「リモコンキー音量」列の値を読み取る。
次に、制御部１２０は、映像信号処理部１３０に、図３のような音量設定画面を表示するための映像信号を生成するよう指示する。各バーグラフの値には、記憶部１４０より読み取った値を反映する。
映像信号処理部１３０は、図３のような音量設定画面に対応した出力映像信号を生成し、投射部１５０はその出力映像信号に基づき音量設定画面を投射する。
【００３９】
（３）ユーザは操作パネル１１１またはリモコン等の遠隔操作手段を操作し、音量設定画面上で、図２で説明した「本体キー音量」列の値と「リモコンキー音量」列の値を個別に入力する。
これに対応した操作信号が、操作パネル１１１または遠隔操作信号受信部１１２より、操作信号処理部１１３を介して制御部１２０に出力される。
【００４０】
（４）制御部１２０は、受け取った操作信号に基づき、記憶部１４０が格納している「本体キー音量」列の値または「リモコンキー音量」列の値を更新する。
【００４１】
以上のように、本実施の形態２によれば、ユーザは操作パネル１１１またはリモコン等の遠隔操作手段を用いて、図２で説明した「本体キー音量」列の値と「リモコンキー音量」列の値を個別に設定することができる。
これにより、プロジェクタ１００の設置状況などの具体的な設置環境等に応じて、操作パネル１１１の操作確認音量と遠隔操作信号受信部１１２の操作確認音量を、詳細に調整することができる。
例えば、比較的離れた距離からプロジェクタ１００を遠隔操作することが多い環境下では、「リモコンキー音量」列の値を大きめに設定する、といった詳細な音量調整を行うことが可能となる。
【００４２】
実施の形態３．
一般にプロジェクタは、天吊り設置状態で使用されることがある。
この場合、ユーザがリモコン等の遠隔操作手段でプロジェクタを操作する際に、ユーザとプロジェクタの間の距離が比較的遠いため、操作確認音が聞き取りづらく、プロジェクタが応答したか否かが分からなくなり、ユーザが何度も同じ操作を繰り返してしまうことが考えられる。
そこで、本発明の実施の形態３では、プロジェクタ１００を通常設置した場合と天吊り設置した場合で、操作確認音量を個別に設定することのできる構成と動作を説明する。
【００４３】
本実施の形態３に係るプロジェクタ１００は、プロジェクタ１００が通常設置されているか、それとも天吊り設置されているかを識別する手段を備える。具体的には、例えば以下の（１）〜（２）のような手法を用いることができる。
【００４４】
（１）プロジェクタ１００の底面にフック等を設け、天上からプロジェクタ１００の底面を吊り下げるようにして天吊り設置する場合は、プロジェクタ１００内部に加速度センサを設けておき、プロジェクタ１００に加わる重力加速度が天面向きである場合は天吊り設置、それ以外では通常設置であることを検出できる。
【００４５】
（２）プロジェクタ１００を通常設置するか天吊り設置するかを、ユーザに入力させる。その入力内容を記憶部１４０に設置状態フラグのような情報として格納しておき、このフラグを参照することでプロジェクタ１００の設置状態を識別する。
この場合、ユーザが設置状態を入力する必要があるが、設置状態が自動検出できない状況下でも汎用的に対応することができる。
【００４６】
図４は、本実施の形態３に係るプロジェクタ１００の記憶部１４０が格納している音量設定情報の内容を示す図である。ここでは実施の形態１で説明した図２と同様に、テーブル形式で格納している例を示した。
本実施の形態３に係るプロジェクタ１００の記憶部１４０は、図２で説明した各設定情報に加え、天吊り設置時における「本体キー音量」と「リモコンキー音量」の設定情報を格納している。なお、図２で説明した各設定情報は、通常設置時の各音量に相当する。
【００４７】
図４のデータ例では、「リモコンキー音量」列は、通常設置時と天吊り設置時で別個の値が設定されている。これは、通常設置時と天吊り設置時ではユーザとプロジェクタ１００の間の距離が一般に異なるであろうと思われることによる。
一方、「本体キー音量」列は、通常設置時の値のみが設定されている。これは、天吊り設置時では一般にリモコン等の遠隔操作手段を用いた操作のみが行われるであろうと思われ、本列の設定を省略可能であることによる。必要に応じて本列の値を設定してもよい。
【００４８】
図５は、操作確認音出力部１６０の音量を設定する画面例を示す図である。ここでは実施の形態２で説明した図３と同様に、「本体キー音量」列の値と「リモコンキー音量」列の値をバーグラフ状に表示した画面例を示した。
ユーザは、図５のような画面上で、操作パネル１１１またはリモコン等の遠隔操作手段を使用して、「本体キー音量」列の値と「リモコンキー音量」列の値を個別に入力する。
ユーザが各音量を設定する際のプロジェクタ１００の動作は、通常設置時と天吊り設置時の双方の値が存在することを除いて実施の形態２と同様であるため、説明を省略する。
【００４９】
以上、本実施の形態３に係るプロジェクタ３の構成を説明した。その他の構成は実施の形態１〜２と同様であるため、説明を省略する。
次に、本実施の形態３に係るプロジェクタ１００の操作確認音出力動作を、以下のステップ（１）〜（６）で説明する。
【００５０】
（１）実施の形態１で説明したステップ（１）と同様であるため、説明を省略する。
（２）制御部１２０は、プロジェクタ１００の設置状態を取得する。具体的には、例えば加速度センサ等の検出手段を用いて設置状態を検出する場合はその検出値に基づき設置状態を取得し、ユーザが設置状態を入力する場合は記憶部１４０よりその内容を読み取って設置状態を取得する。
【００５１】
（３）制御部１２０は、操作信号処理部１１３から受け取った操作信号を受け取り、プロジェクタ１００の設置状態に対応した「本体キー音量」列の値を読み取る。次に、その音量で操作確認音を出力するよう、操作確認音出力部１６０に指示する。
（４）制御部１２０は、操作信号処理部１１３から受け取った操作信号の内容に対応した動作を実行する。
【００５２】
（５）実施の形態１で説明したステップ（４）と同様であるため、説明を省略する。
（６）制御部１２０は、ステップ（２）と同様にしてプロジェクタ１００の設置状態を取得する。
【００５３】
（７）制御部１２０は、操作信号処理部１１３から受け取った操作信号を受け取り、プロジェクタ１００の設置状態に対応した「リモコンキー音量」列の値を読み取る。次に、制御部１２０は、その音量で操作確認音を出力するよう、操作確認音出力部１６０に指示する。
（８）制御部１２０は、操作信号処理部１１３から受け取った操作信号の内容に対応した動作を実行する。
【００５４】
以上、本実施の形態３に係るプロジェクタ１００の操作確認音出力動作を説明した。
【００５５】
以上のように、本実施の形態３に係るプロジェクタ１００は、プロジェクタ１００が通常設置されているか、それとも天吊り設置されているかの設置状態毎に、操作パネル１１１の操作確認音量と遠隔操作信号受信部１１２の操作確認音量それぞれの設定情報を、記憶部１４０に格納している。
これにより、通常設置時と天吊り設置時でプロジェクタ１００とユーザの間の距離が異なるであろうと思われることに鑑み、設置状態に応じて操作確認音量を個別に設定することができる。
したがって、プロジェクタ１００の設置状態と、ユーザが操作入力を行うために用いる手段とに応じて、最適な音量で操作確認音を出力することができるので、ユーザが操作確認音を煩わしく感じることなく、設置状態によらず確実に操作確認を行うことができる。
【００５６】
実施の形態４．
以上の実施の形態１〜３では、操作確認音出力部１６０はブザー音等の報知音を出力する手段を用いて構成することを説明した。
一方、操作確認音出力部１６０として、プロジェクタ１００が備えるスピーカ等の汎用的な音声出力手段を用いることもできる。ただし、このような音声出力手段は、プロジェクタ１００のその他の機能から共通的に使用され、音量設定も別途行うことができるように構成されていることが通常である。
【００５７】
したがって、制御部１２０は、スピーカ等に操作確認音を出力させる際には、スピーカ自体の音量設定情報を用いるのではなく、図２や図４で説明した設定情報を用いて音量を設定し、その音量で操作確認音を出力させる。
これにより、報知音を出力するための手段を別途設けることなく、実施の形態１〜３と同様の効果を発揮することができる。
【図面の簡単な説明】
【００５８】
【図１】実施の形態１に係るプロジェクタ１００の機能ブロック図である。
【図２】記憶部１４０が格納している音量設定情報の内容を示す図である。
【図３】操作確認音出力部１６０の音量を設定する画面例を示す図である。
【図４】実施の形態３における音量設定情報の内容を示す図である。
【図５】操作確認音出力部１６０の音量を設定する画面例を示す図である。
【符号の説明】
【００５９】
１００  プロジェクタ、１１１  操作パネル、１１２  遠隔操作信号受信部、１１３  操作信号処理部、１２０  制御部、１３０  映像信号処理部、１４０  記憶部、１５０  投射部、１６０  操作確認音出力部。
【図１】
2009276413.tif 000003
【図２】
2009276413.tif 000004
【図３】
2009276413.tif 000005
【図４】
2009276413.tif 000006
【図５】
2009276413.tif 000007